(57)【要約】【課題】液体を充填するための内室を備えた、特に家庭用品用のタンクにおいて、装置に関する大きな手間を掛けずに、または味覚に影響を及ぼすことなく液体の殺菌および洗浄を行うタンクを提供することである。【解決手段】水および別の液体を光作用下で殺菌するための光増感剤が設けられている。【選択図】図１
2010172890.tif 000002
【特許請求の範囲】
【請求項１】
液体を充填するための内室を備えた、特に家庭用品用のタンクにおいて、
水および別の液体を光作用下で殺菌するための光増感剤が設けられていることを特徴とする、タンク。
【請求項２】
タンク（２）は、プラスチック製の成形体から成っている、請求項１記載のタンク。
【請求項３】
成形体は、プラスチック−光増感剤混合物から成っている、請求項２記載のタンク。
【請求項４】
成形体は、内側で、光増感剤によって少なくとも部分的に被覆されている、請求項１から３までのいずれか１項記載のタンク。
【請求項５】
タンク（２）は、少なくとも部分的に光透過性である、請求項１から４までのいずれか１項記載のタンク。
【請求項６】
成形体は、色素で着色されている、請求項１から５までのいずれか１項記載のタンク。
【請求項７】
少なくとも１つの光増感剤が、フタロシアニンである、請求項１から６までのいずれか１項記載のタンク。
【請求項８】
フタロシアニンに、単数または複数の金属イオンが配位されている、請求項７記載のタンク。
【請求項９】
フタロシアニンに、アルミニウムイオン、亜鉛イオン、コバルトイオンまたはニッケルイオンが配位されている、請求項８記載のタンク。
【請求項１０】
請求項１から９までのいずれか１項記載のタンク（２）を備えた家庭用品。
【請求項１１】
タンク（２）に、または該タンク（２）の周辺に、タンク（２）を照明するためのＬＥＤ発光手段（５）が取り付けられている、請求項１０記載の家庭用品。
【請求項１２】
ＬＥＤランプは、少なくとも１つの光増感剤による電気化学反応を起こす固有の波長の光を放射する、請求項１０または１１記載の家庭用品。
【請求項１３】
タンク（２）は、収容部に取外可能に固定されている、請求項１０から１２までのいずれか１項記載の家庭用品。
【発明の詳細な説明】
【技術分野】
【０００１】
本発明は、液体を充填するための内室を備えた、特に家庭用品用のタンクに関する。
【背景技術】
【０００２】
周辺空気との接触によって菌が発生する傾向にある水の殺菌は、化学的または物理的な洗浄方法によって行うことができる。家庭用品の分野において化学物質の使用は、多くの場合制限下でしか実現されない。なぜならば化学物質の使用によって多くの場合、たとえば塩素処理において水の味覚変化が生じるからである。さらに抗菌性の化学物質の使用は、多くの場合正確な調量を前提としている。なぜならば化学物質または分解生成物は、結果的に人体に侵入する恐れがあるからである。
【０００３】
水を消毒、ＵＶ放射またはオゾン発生によって殺菌する別の選択的な化学−物理的な方法は、家庭用品では、装置に関する追加的な手間および高いエネルギ消費によってしか実現されない。さらに濾過は、多くの場合検査およびフィルタの交換を必要とする。
【発明の概要】
【発明が解決しようとする課題】
【０００４】
したがって本発明の課題は、装置に関する大きな手間を掛けずに、または味覚に影響を及ぼすことなく液体の殺菌および洗浄を行う、水および別の液体を貯蔵するための、特に家庭用品に設けられるタンクを提供することである。
【課題を解決するための手段】
【０００５】
この課題を解決するために本発明の構成では、液体を充填するための内室を備えた、特に家庭用品用のタンクにおいて、水および別の液体を光作用下で殺菌するための光増感剤が設けられている。
【０００６】
好適には、タンクは、プラスチック製の成形体から成っている。
【０００７】
好適には、成形体は、プラスチック−光増感剤混合物から成っている。
【０００８】
好適には、成形体は、内側で、光増感剤によって少なくとも部分的に被覆されている。
【０００９】
好適には、タンクは、少なくとも部分的に光透過性である。
【００１０】
好適には、成形体は、色素で着色されている。
【００１１】
好適には、少なくとも１つの光増感剤が、フタロシアニンである。
【００１２】
好適には、フタロシアニンに、単数または複数の金属イオンが配位されている。
【００１３】
好適には、フタロシアニンに、アルミニウムイオン、亜鉛イオン、コバルトイオンまたはニッケルイオンが配位されている。
【００１４】
このようなタンクを備えた家庭用品が好適である。
【００１５】
好適には、タンクに、またはタンクの周辺に、タンクを照明するためのＬＥＤ発光手段が取り付けられている。
【００１６】
好適には、ＬＥＤランプは、少なくとも１つの光増感剤による電気化学反応を起こす固有の波長の光を放射する。
【００１７】
好適には、タンクは、収容部に取外可能に固定されている。
【発明の効果】
【００１８】
特に家庭用品に用いるための、液体を充填するための本発明によるタンクは、従来慣用の材料に対して追加的に、光増感剤分子を有している。これによって水または別の液体は、離散性のエネルギ（光子）を吸収する、光増感剤分子の光化学反応の結果としての特に一重項酸素の触媒形成によって、菌から解放される。これによって、長時間溜まったままの流動しない水で生じる、水容器内の藻成長およびカビ発生が防止され、さらに場合によっては水中に存在するバクテリアが死滅する。
【００１９】
タンクの構成部材として光増感剤を取り付けたことによって、タンク内に存在する液体の殺菌が、装置に関する追加的な手間を掛けずに行うことができ、これによって電流に依存しない汎用性が実現される。したがってタンクは、液体をガイドするあらゆる家庭用品に組み込むことができる。さらに本発明によるタンクは、大量生産によって製造することができる。
【００２０】
成形体を製造するために好適にはプラスチックが用いられる。なぜならばプラスチックでは、異なる好適な材料特性（たとえば簡単な変形および水に対する化学的な安定性）が得られるからである。さらにプラスチックは、多くの場合比較対象となる鋼製容器よりも軽量である。
【００２１】
特に好適には、成形体は、プラスチック−光増感剤混合物から成っており、この場合タンク表面の藻類およびバクテリアの殺菌が行われる。光増感剤がプラスチック材料にしっかり組み込まれているので、光増感剤は、一方では機械洗浄に際して摩擦によって除去されることはなく、他方では金属配位された光増感剤を使用すると様々な色による視覚効果がもたらされる。
【００２２】
別の好適な形態では、成形体の内室が、少なくとも部分的に、たとえばラッカである光増感剤によって被覆されている。これによって成形体の内室において大きな面に沿って特に一重項酸素の触媒形成が行われ、次いで殺菌しようとする液体との直の接触が行われる。このような被覆は、場合によっては既に存在するタンクにあとから行うこともできる。
【００２３】
好適には、成形体は、少なくとも部分的に光透過性である。なぜならば生態学的にかつ効果的に、自然光を光増感剤のエネルギ源として利用することができるからである。
【００２４】
さらにタンクは、色素添加によって色に関して変化させることができる。
【００２５】
好適な形態では、タンクの少なくとも１つの光増感剤がフタロシアニンである。大環式化合物のこのような種類は、熱的および化学的な高い安定性を特徴としており、これによってこのような種類の大環式化合物は、タンクの製造中に、場合によっては起こる化学洗浄における物質によって攻撃されることはない。これによってタンクは、たとえば汚れた場合に従来慣用の洗浄機で洗浄することができる。フタロシアニンは、非水溶性であり、したがって水によってタンクの材料から溶かされて、人体に侵入することはない。
【００２６】
光化学反応の作用および特別な波長に対する光エネルギ吸収の調整は、金属イオンによるフタロシアニンの配位によって好適に影響を及ぼすことができ、金属イオンに応じて、吸収できる特定の波長が選択可能である。これによって光増感剤分子は、特定の発光手段および制限された発光帯域を有するランプにおける吸収に関して調整され、したがって最適化される。
【００２７】
追加的に好適な視覚効果を得るために、フタロシアニン分子における、アルミニウムイオン、亜鉛イオン、銅イオン、コバルトイオンまたはニッケルイオンの配位により配位化合物が形成され、配位化合物は、次いで色素として、たとえば青または緑に着色して提供され、適切な補色の光を吸収する。
【００２８】
さらにタンクを備えた、本発明による家庭用品によれば、タンクに、水および別の液体を殺菌するための光増感剤が設けられている。
【００２９】
家庭用品に、ＬＥＤランプが、タンクまたはタンクの周囲に配置されていて、それもタンクの発光を実現するように配置されている。したがって自然光に依存しない連続的な殺菌が保証されている。ＬＥＤ照明の利点は、電球とは異なって、エネルギ消費が僅かであり、高い光強度で制限された波長域にある。したがってＬＥＤ放出放射および光増感剤の吸収波長の調整において、光化学反応の間に高い変換率が生じ、したがって各液体が効果的に殺菌される。
【００３０】
特に好適な形態では、放出されるＬＥＤランプの波長域の最大放出は、光増感剤の最大吸収に対応し、したがって特に一重項酸素の触媒形成のための光化学反応の高いエネルギが提供される。
【００３１】
好適には、タンクは、家庭用品の、タンクのために成形された収容部に、取外可能に保持されている。これによってタンクは、故障、たとえば破損または亀裂形成に際して交換可能である。さらにタンクを取り出して、別の箇所で水または別の液体をリザーバから充填することもできる。
【図面の簡単な説明】
【００３２】
【図１】本発明によるタンクを備えた本発明による家庭用品を示す斜視図である。
【発明を実施するための形態】
【００３３】
本発明の実施の形態を、図面に基づいて説明する。
【００３４】
図１には、全自動コーヒーマシン１としての本発明による家庭用品を示した。コーヒーマシン１は、カバー３とプラスチック製の成形体４とから成るタンク２を備えている。成形体は、青色色素の添加物を含有しており、色素は、フタロシアニン（光増感剤）における金属イオンの配位によって生じる。これによってプラスチック成形体は、光透過性の青色である。光増感剤は、光である電磁放射を吸収し、このエネルギを、原子および分子に無放射で伝達し、原子および分子は、これによって高エネルギ状態に変えられる。
【００３５】
菌を含んだ水がタンク２に充填される場合、光化学反応が起こる。電磁放射の吸収に基づいて、タンクに作用する周囲光またはＬＥＤによって発光手段５が発光し、光増感剤によって、触媒の一重項酸素および短寿命のラジカルが生じる。これによって菌が死滅し、壊死し、枯死する。
【００３６】
ＬＥＤ発光手段５は、タンクの下部に取り付けられている。コーヒーマシンは、無菌の水を加熱する。コーヒーミル６はコーヒー豆を細かく砕いて、抽出装置に供給する。抽出過程のあとで、注出ユニット７は、完成したコーヒーをカップまたはコップに注出する。
【００３７】
コーヒーの入れられたカップまたはコップは、滴受け装置８に置かれる。
【００３８】
ここではタンクは、全自動コーヒーマシンに関して説明した。タンクは、別の飲料注出装置に、特に空気と接触して水に長期にわたって菌が発生する恐れのある装置に利用することもできる。
【００３９】
別の利用は、飲料水ディスペンサにみられ、ここでは水は予め製造されたタンクに供給される。
【００４０】
さらにまたたとえば氷粒で満たされた小さな冷却装置を、タンクに取り付けるか、またはタンクに浮かべて取り付けることができ、ここでは氷粒のプラスチックスリーブが光増感剤を有している。
【００４１】
スチーム洗浄に用いられる水タンクでは、菌による高い汚染が予想される。とりわけスチームの吹き付けおよび表面洗浄のあとで、スチームの吸込が行われる場合に予想される。吸い込まれた菌は、スチームクリーナの高温多湿の環境で増殖する可能性がある。菌の増殖は、本発明によるタンクを使用すると大幅に抑制することができる。
【００４２】
使用後に場合によっては長期間使用されず、菌が残留湿気に起因して装置内で増殖する恐れのある高圧洗浄装置でも同様である。
【符号の説明】
【００４３】
１  全自動コーヒーマシン、  ２  タンク、  ３  カバー、  ４  成形体、  ５  ＬＥＤ発光手段、  ６  コーヒーミル、  ７  注出ユニット、  ８  滴受け装置
【図１】
2010172890.tif 000003